(57)【要約】  【課題】  タンク内に貯留する飲料水に対し紫外線を効率的に照射して、飲料水に混入する細菌を殺菌し、且つオゾンの発生を極力抑えて、味覚の低下を防止できる給水装置を提供する。  【解決手段】  装置本体内に飲料水を貯留するタンク３を備え、該タンク内に紫外線を照射して飲料水を殺菌し、給水する給水装置において、前記タンク３は大気と連通する空気孔２３を有する容器で構成され、前記紫外線を照射する照射部を制御する制御手段を備え、該制御手段はタンクから飲料水が排出される時又は排出された後に前記照射部を照射制御する。  【選択図】  図４
2010052772.tif 000002
【特許請求の範囲】
【請求項１】
装置本体内に飲料水を貯留するタンクを備え、該タンク内に紫外線を照射して飲料水を殺菌し、給水する給水装置において、
前記タンクは大気と連通する空気孔を有する容器で構成され、前記紫外線を照射する照射部を制御する制御手段を備え、該制御手段はタンクから飲料水が排出される時又は排出された後に前記照射部を照射制御することを特徴とする給水装置。
【請求項２】
前記照射部の照射制御は、飲料水を給水するための操作ボタンが操作され、前記タンクから飲料水が排出される時である請求項１記載の給水装置。
【請求項３】
前記照射部の照射制御は、前記タンクに残存する飲料水を排水するための操作がされ、タンクから飲料水が排出される時である請求項1記載の給水装置。
【請求項４】
前記照射部の照射制御は、タンクに残存する飲料水を排水するための操作がされ、タンクから飲料水が排出された後、該タンクへの増水操作が行われた時である請求項１記載の給水装置。
【請求項５】
前記空気孔は前記照射部近傍に設けられていることを特徴とする請求項1乃至４の何れか１項記載の給水装置。
【請求項６】
前記タンクに貯溜される飲料水は、予め浄化された水であることを特徴とする請求項１乃至５の何れか１項記載の給水装置。
【発明の詳細な説明】
【技術分野】
【０００１】
本発明は装置内に設けたタンクに貯留する飲料水を給水する給水装置に関し、更に詳しくは飲料水を殺菌する紫外線照射ランプを備えた給水装置に関する。
【背景技術】
【０００２】
装置内に設けられたタンクに飲料水を貯め、該タンクから飲料水を給水する給水装置は知られている。更に、タンク内の飲料水に混入する細菌を殺菌する為に紫外線を照射する装置を備えた装置も提案されている（例えば、特許文献１参照）。
特許文献１に開示された技術は、タンク内の飲料水の販売により該タンク内の水位が低下して外部よりタンク内に空気が入った場合、空気中に含まれる細菌が前記飲料水に混入する。この飲料水に混入した細菌を殺菌する為に、タンク側壁の少なくとも一面を紫外線が透過する部材で形成し、その紫外線を透過する部材からなる側壁の外側に、紫外線を発光するランプを配置し、該ランプを常時点灯することで、タンク内に混入した細菌を殺菌するというものである。
【０００３】
しかしながら、紫外線を照射するとオゾンが発生することが知られており、前記のように常時紫外線を照射することで細菌を殺菌することはできるものの、多量のオゾンが発生し、該オゾンにより飲料水の味覚にも影響が出てしまい、飲料水として供給できないという問題を有していた。
【０００４】
【特許文献１】特開昭５９−１１５７７９号公報
【発明の開示】
【発明が解決しようとする課題】
【０００５】
本発明は上記従来の技術が有する問題点に鑑みてなされたもので、その目的とするところは、タンク内に貯留する飲料水に対し紫外線を効率的に照射して、飲料水に混入する細菌を殺菌し、且つオゾンの発生を極力抑えて、味覚の低下を防止できる給水装置を提供することにある。
【課題を解決するための手段】
【０００６】
上記目的を達成する為に本発明が講じた技術的手段は、装置本体内に飲料水を貯留するタンクを備え、該タンク内に紫外線を照射して飲料水を殺菌し、給水する給水装置において、前記タンクは大気と連通する空気孔を有する容器で構成され、前記紫外線を照射する照射部を制御する制御手段を備え、該制御手段はタンクから飲料水が排出される時又は排出された後に前記照射部を照射制御するように構成した（請求項１）。
前記飲料水を貯留するタンクに形成される空気孔は、タンクの周壁或いは蓋の何れに開設されていてもよく、また、その空気孔の数は１個に限定されず複数個でもよい。
前記紫外線が照射される「飲料水が排出される時」とは、タンクの給水口から飲料水を給水する時（請求項２）、及びタンク内の飲料水を排水口から排水する時（請求項３）等である。
又、「飲料水が排出された後」とは、タンク内の飲料水を排水口から排水した後、該タンクに飲料水の増水操作が行われた時（請求項４）を言う。
【０００７】
前記タンク内の飲料水が排水口から排出されたことの検出は、例えば、排水口に電磁弁を設け、該電磁弁の開閉信号に基づいて行い、その電磁弁の開閉信号によって紫外線照射ランプの点灯／消灯を制御する、或いは排水口をマニュアル操作で開いて排水後、タンクへ飲料水を注入する為の操作ボタンを押下げ操作した時、更に、前記注入の為の操作ボタンが押下げられている時間に一定時間を加えた時間、等の状態が挙げられる。
【０００８】
そして、タンクの給水口から飲料水が給水（排出）される時とは、（１）飲料水を給水するための操作ボタンが押されてから、該操作ボタンの押下げが解除されるまでの間、（２）飲料水を給水するための操作ボタンの押下げ解除された後の一定時間、（３）飲料水を給水するための操作ボタンが押されてから、該操作ボタンの押下げが解除された後の一定時間までの間、等の状態が挙げられる。
前記照射部としては、一般的な水銀ランプの他に、紫外線発光ダイオードを用いたもの、或いは紫外線パルス光を用いたものなどが挙げられる。
【０００９】
上記手段によれば、タンクから飲料水が排出（給水、排水）される時に該タンクの空気孔からタンク内に空気の流入があるが、その空気の流入時に紫外線がタンク内で照射されるので、空気と共に雑菌（細菌）が流入したとしても、その雑菌を直ちに殺菌することができるので、雑菌が繁殖する前に、少ない紫外線の照射量で殺菌することができる。それにより、オゾンの発生も極力少なくすることができ、効率的な紫外線の照射が可能となる。
【００１０】
又、タンク内に貯留された飲料水が一定期間給水（使用）されず、その飲料水がタンクから全部排出され、新しい飲料水がタンクに入れられる時も前記照射部が点灯されて照射されるので、前記飲料水の排水時に空気孔から空気と共にタンク内に流入してタンク内面に付着し、或いはタンク内を浮遊する雑菌は、増水時の紫外線照射で確実に殺菌することができる。
【００１１】
前記タンクに開設する空気孔の位置は、前記照射部近傍に設けるのが有効である（請求項５）。
前記照射部近傍としては、例えばタンクの蓋体に紫外線照射ランプが垂下取り付けられた場合、その紫外線照射ランプの取り付け位置の周囲位置等が挙げられる。
紫外線照射ランプの近傍に空気孔を開設することで、該空気孔から空気と共に雑菌がタンク内に流入したとしても、空気孔の近傍で点灯照射される紫外線によりタンク内に流入直後で雑菌がタンク内に拡散する前に効率良く殺菌することができる。
【００１２】
又、前記タンクに貯溜される飲料水は、通常の水道水でもよいが、水道水を浄水装置（例えば、逆浸透膜方式、活性炭フィルター方式、電解水方式等）に通して浄化した水（純水）でもよい（請求項６）。更に、前記飲料水は、水道水、浄水のままのでもよいが、所定温度に下げ冷水にして給水するようにしてもよい。
【００１３】
上記手段によれば、不純物を除去した純水を給水することができる。
【発明の効果】
【００１４】
本発明の給水装置は請求項１、２、３記載の構成により、タンクから飲料水が排出（給水）される時、又はタンクに貯留する飲料水が排出（排水）される時、空気孔からタンク内に空気が流入するが、その時紫外線照射ランプが点灯して紫外線が照射されるので、空気と共に雑菌が流入したとしても、雑菌を直ちに殺菌することができるので、細菌の繁殖前に少ない紫外線照射で効率よく殺菌することができる、そして、紫外線照射の量が少ないため、オゾンの発生も極力少なくでき、味覚への影響（低下）を抑えることができる。
また、タンクから飲料水を排出（給水）した後、或いはタンクから飲料水を排出（排水）した後、紫外線照射ランプを点灯して紫外線を照射するので、飲料水の排出（給水、排水)時に空気と共にタンク内に流入した雑菌を前記と同様、効果的に殺菌することができる。
更に、請求項４記載の構成により、タンク内に貯留された飲料水が一定期間給水（使用）されず、飲料水がタンクから全部排出（排水）され、新しい飲料水がタンクに入れられる時も前記ランプが点灯されて照射されるので、確実に雑菌を殺菌することができる。
【００１５】
又、請求項５記載の構成により、空気と共にタンク内に流入する雑菌をタンク内に流入直後で雑菌がタンク内に拡散する前に、紫外線によって効率よく殺菌することができる。
更に、請求項６記載の構成により、水道水よりも飲用として優れた純水を給水することができる。
【発明を実施するための最良の形態】
【００１６】
以下、本発明に係る給水装置の実施の形態の一例を図面に基づいて説明する。
図１は給水装置Ａの外観を示し、一般的な飲料の自動販売機と同様の外観を呈しており、装置内部に、水道水を貯留する給水タンク１と、該給水タンク１の水を浄化する浄水装置２と、浄水装置２で生成された浄水（純水）を所定温度に冷却して給水する冷水タンク３と、純水を所定温度に加温して給水する温水タンク４と、前記冷水タンク３及び温水タンク４からの排水を貯留する排水タンク５を備え、装置正面には前記冷水タンク３又は温水タンク４から給水を受けるコップやボトル等の容器２４を置く容器載せ部６が設けられ、その容器載せ部６の上方前面には各種の操作ボタンと表示部が配設されている。
【００１７】
前記操作ボタンとしては、前記冷水タンク３から冷水を排出（給水）するための冷水用操作ボタン７、前記温水タンク４からお湯を排出（給湯）するための温水用操作ボタン８、前記給水タンク１から前記冷水タンク３或いは温水タンク４に水を補充する為の増水ボタン９、温水タンクの水を所定温度に加温する為の再沸騰ボタン１０、ロック解除ボタン１１が設けられている。
又、表示部として、前記した各操作ボタンが操作されたことを表示する表示部の他に、冷水用操作ボタン７及び温水用操作ボタン８の側近には夫々冷水タンク３、温水タンク４が「空」であることを表示する表示部１２，１３、更に「エラー」表示部１４、「給水タンク空」表示部１５、「排水タンク満」表示部１６、「お湯又は冷水」温度表示部１７が設けられている。
【００１８】
図２は給水装置Ａの概略を示す配管図で、以下、簡単に説明すると、原水である水道水を貯留する給水タンク１の出口側と冷水タンク３及び温水タンク４の流入口とを連結する配管路の途中に浄水装置（逆浸透膜）２を設置し、且つその浄水装置２と前記給水タンク１との間に水道水に含まれる不純物を除去するフィルター（セディメント）Ｆ１、活性炭フィルター（プリカーボン）Ｆ２が配置され、更に前記フィルターＦ２と浄水装置２の流入口との間には前記フィルターを通過した水を浄水装置２に送り込むポンプＰ１が配置されている。浄水装置２を通過し濾過された透過水（純水）は二又に分岐された管路で冷水タンク３、温水タンク４に供給されるように構成されている。冷水タンク３への管路には電磁弁ＳＶ１と逆止弁ＣＨ１が、温水タンク４への管路には電磁弁ＳＶ２と逆止弁ＣＨ２が接続されている。
又、前記浄水装置（逆浸透膜）２で分離された不純物を含む濃縮水（非透過水）は、一部をリサイクルのためにポンプＰ１より上流側の管路に戻し、残りは電磁弁ＳＶ３、逆止弁ＣＨ３を介して排水タンク５に流れるように配管されている。
前記冷水タンク３の給水口に電磁弁ＳＶ４が、排水口には電磁弁ＳＶ５が設けられている。又、前記温水タンク４の給水口（給湯口）に電磁弁ＳＶ６が、排水口には電磁弁ＳＶ７が設けられている。そして、前記冷水タンク３の排水口からの排水(1)、及び温水タンク４の排水口からの排水(2)、更に前記容器載せ部６にこぼれた水(3)は前記排水タンク５に流入するように配管されている。
【００１９】
更に、前記給水タンク１の設置箇所には原水（水道水）がなくなりタンクが空になったことを検出するタンク空検出スイッチ１８が、又、前記排水タンク５の設置箇所には該排水タンクの貯留量が満水（所定量）になったことを検出する満水検出スイッチ１９と、排水タンク５が装着されているか否かを検出するタンク無し検出スイッチ２０が設けられている。
又、前記冷水タンク３と温水タンク４には夫々収容されている水、お湯の量を検出する水位センサ２１-1，２１-2，２１-3、２１’-1,２１'-2,２１’-3が設けられ、且つ冷水タンク３には殺菌の為の紫外線を照射する照射部を構成する紫外線照射ランプ２２（図面では「ＵＶランプ」と表示）が装着されている。
前記紫外線照射ランプ２２は水銀ランプを用い、制御手段によって点灯／消灯が制御されるようになっている。
又、前記冷水タンク３には大気と連通する空気孔２３が、前記タンクの蓋部であって紫外線照射ランプ２２の隣に設けられている。そして、紫外線照射ランプ２２は蓋部から吊り下げられ上下方向に伸びた形状をしているので、空気孔２３から雑菌を含む空気が冷水タンク３内に流入したとしても、空気は紫外線照射ランプ２２に沿って流入されるので瞬時に殺菌することができ、結果的にタンク内に拡散する前に殺菌することができる。
【００２０】
図４は紫外線照射ランプ２２を備えた冷水タンク３の概略を示し、断熱材で周壁を区画されたタンク本体３ａと、そのタンク本体３ａの上方開口部を閉鎖する蓋体３ｂとで略密閉状に構成され、タンク本体３ａには冷却手段（図示省略）が設置されてタンク内の水が冷却されるようになっている。また、タンク本体３ａ内にはそれぞれ長さが異なる水位センサ２１-1，２１-2，２１-3が蓋体３ｂより垂下して設置され、タンク内に収容されている水の量の変化を検出し得るようになっている。
前記水位センサ２１-1，２１-2，２１-3は、先端に検知部があり、通電（水と接触）しているかどうかで判断する。
長さが1番短い水位センサ２１-1は、タンク本体３ａの底部から最も高い位置にあり、冷水タンク３に供給される浄水の量が満水になったことを検出する。
長さが２番目に短い水位センサ２１-2は、タンク本体３ａの高さの略中間位置より下側にあり、冷水タンク３に収容されている浄水の量が半分以下で、補充する水位になったことを検出する。
長さが１番長い水位センサ２１-3は、タンク本体３ａの底部近傍に位置し、冷水タンク３に収容されている浄水が略完全に排水されたことを検出する。
【００２１】
又、前記冷水タンク３の蓋体３ｂには紫外線照射ランプ２２がタンク本体３ａ内に突出させて垂下取り付けられ、その紫外線照射ランプ２２の取り付け位置周囲、或いはタンク本体３ａの周壁における前記紫外線照射ランプ２２の照射部と対向する位置に、空気孔２３が開設されている。タンク本体３ａの周壁に開設する空気孔２３の位置は、当然のことではあるが冷水タンク３の満水を検出する水位センサ２１-1より上方に開設する。
【００２２】
次に、冷水タンク３の給水の流れ及び紫外線照射ランプ２２の照射を、図３の電気ブロック図及び図６〜図７のフローチャートに基づいて説明する。
図３は冷水供給に関する構成の電気ブロック図で、ＣＰＵはＲＯＭに記憶された動作プログラムを読み出して実行することにより、装置全体の制御を行うものである。
ＲＡＭは、ＣＰＵが動作する為に必要なワークエリアが設けてあり、各種設定データを記憶する書き換え可能なメモリーである。
時計部は、紫外線照射ランプの照射開始時間や、浄水（純水）が冷水タンク３に供給された日時を計時する。
浄水制御部は、給水装置Ａに組み込まれている電磁弁ＳＶ１〜ＳＶ７、ポンプＰ１等、給水装置を制御するものである。
ＵＶ制御部（制御手段）は、冷水タンク３に装着された紫外線照射ランプ２２の点灯／消灯を制御するものである。
給水スイッチ（冷水用操作ボタン７）は、冷水タンク３の給水口に取り付けられた電磁弁ＳＶ４を開いて、給水する。
増水スイッチ（増水ボタン９）は、ポンプＰ１を駆動し、電磁弁ＳＶ１を開いて浄水装置２で生成した浄水（純水）を冷水タンク３に供給する。供給する量は水位センサ２１-1が検知（満水）するまで。
そして、前記した浄水装置、ＵＶ制御部、給水スイッチ（冷水用操作ボタン７）、増水スイッチ（増水ボタン９）、水位センサ２１-1，２１-2，２１-3はインターフェースを介して前記ＣＰＵ、及びＲＡＭ、ＲＯＭ、時計部と接続されている。
【００２３】
次に、本発明に関する給水装置ＡのＣＰＵの動作（給水、排水）の概略を、図６及び図７のフローチャートに基づいて説明する。尚、このフローチャートは、給水装置の電源を入れることでスタートする。
［給水のフロー］（図６参照）
ステップ１…容器載せ部６にコップ又はボトル等の容器２４を置いて給水スイッチ（冷水用操作ボタン７）を押す。そして、給水スイッチ（冷水用操作ボタン７）が押された信号をＣＰＵが受け付け、該時間をＲＡＭの所定エリアに一時記憶する。
ステップ２…電磁弁ＳＶ４を開く信号が出力され、該電磁弁ＳＶ４が開くことで冷水タンク３から浄水（純水）が排出（給水）され容器２４に給水される。これにより空気孔２３から浄水が減った体積分の空気が冷水タンク３内へ流入する。
ステップ３…紫外線照射ランプ（ＵＶランプ）２２を点灯させる信号が出力されることで冷水タンク３内に紫外線が照射され、そして該紫外線照射ランプ（ＵＶランプ）２２が照射を開始した時間（時刻）をＲＡＭの所定エリアに一時記憶する。
【００２４】
ステップ４…前記給水スイッチ（冷水用操作ボタン７）の信号をＣＰＵが受け付けているか判断する。YESの場合はステップ３へ戻り、紫外線照射ランプ（ＵＶランプ）２２を点灯する信号を出力し続ける。NOの場合は、ステップ５へ進むと共に、ステップ１で一時記憶された時間から経過した時間を算出し、照射時間ファイル（図５参照）を参照し、該当する給水時間（給水スイッチ（冷水用操作ボタン７）が押されていた時間）に対する紫外線照射ランプ（ＵＶランプ）２２の照射時間を読み出す。（照射時間は給水時間より長い時間で、照射時間の終了が規定される。）そして、前記経過した時間を、該時間が記憶されるＲＡＭの所定エリアに累積加算して記憶する。即ち、給水した時間（累積時間）が記憶される。
ステップ５…電磁弁ＳＶ４を閉じる信号を出力する。
ステップ６…ステップ４で読み出された紫外線照射ランプ（ＵＶランプ）２２の照射時間が、ステップ３で一時記憶した時間を経過したら紫外線照射ランプ（ＵＶランプ）２２を消灯する信号が出力されると共に、ステップ１、ステップ３で一時記憶したＲＡＭ内の時間データがクリアされる。但し、ＲＡＭの所定エリアに累積加算された給水時間はそのまま記憶される。尚、紫外線照射ランプ（ＵＶランプ）２２を消灯する信号の出力は、時間経過後、直ぐに行うことなく、一定時間経過後に消灯信号を出力するようにしてもよい。又、ステップ４でNOの場合、一定時間、紫外線照射ランプ（UVランプ）２２を点灯するようにしてもよい。
【００２５】
以上のように、給水スイッチ（冷水用操作ボタン７）が押されて電磁弁ＳＶ４が開き、浄水が排出（給水）されるのに伴い冷水タンク３内の浄水の体積が減り、その分空気孔２３を通してタンク内に空気が流入する空気の流れができ、その空気の流入に伴って雑菌がタンク内に流入するので、そのタイミングで紫外線照射ランプ（ＵＶランプ）２２を点灯して紫外線を照射することで、雑菌が冷水タンク内に拡散する前に殺菌することができる。
しかも、前記空気孔が紫外線照射ランプ（ＵＶランプ）２２の照射部の近傍に開設されていることで、タンク内に流入した直後に殺菌することができる。
又、紫外線照射ランプ（ＵＶランプ）２２の照射時間を、図５に示す照射時間ファイルに基づいて給水時間に応じて可変させた場合は、タンク内に流入する空気の量に応じて紫外線の照射時間も可変する為、紫外線を効率よく使用することができる。
【００２６】
紫外線照射ランプ（ＵＶランプ）２２を点灯させて紫外線を照射し、冷水タンク３内に空気と共に流入する雑菌を殺菌する処理は、冷水タンク３から浄水（純水）を排出（給水）する時に限らず、冷水タンク３から浄水を排水するときでもよい。以下、排水時の紫外線照射を図７に基づいて説明する。
［排水フロー］
ステップ１１…冷水タンク３に浄水を供給（増水）してから日数が、予め設定したチェック日数（本実施例では４日）を経過しているかを判断する。NO（設定した日数に至っていない）の場合はYESと判断されるまでステップ１１が繰り返される。YESの場合はステップ１２に進む。
ステップ１２…ＲＡＭの所定エリアに記憶されている給水の累積時間が所定時間内か判断される。即ち、冷水タンク３から排出（給水）された量が一定の量を超えているか否かを判断する。NO（一定の量を超えている）の場合はステップ１８に進み、ポンプＰ１を駆動し、電磁弁ＳＶ１を開いて浄水装置２で生成した浄水（純水）を冷水タンク３に供給（補充)する。供給する量は水位センサ２１-1が検知（満水）するまで。YES（一定の量を超えていない）の場合はステップ１３に進む。
ステップ１３…排水口の電磁弁ＳＶ５を開く信号が出力され、電磁弁ＳＶ５が開放されて冷水タンク３内の浄水が排水される。これにより空気孔２３から排水された体積分の空気が冷水タンク３内へ流入する。つまり、４日間の間で一定量給水されていないということは、水質が劣化していく傾向にあるので、冷水タンク３内の水を一度排水し、新たに冷水タンク３内に浄水を供給させるようにする。
【００２７】
ステップ１４…紫外線照射ランプ（ＵＶランプ）２２を点灯させる信号が出力されることで冷水タンク３内に紫外線が照射され、そして該紫外線照射ランプ（ＵＶランプ）２２が照射を開始した時間（時刻）をＲＡＭの所定エリアに一時記憶する。
ステップ１５…冷水タンク３に設置されて完全排水を検知する水位センサ２１-3がOFFであるかを判断する。NO（排水が完了していない）の場合はステップ１４に戻り紫外線照射ランプ（ＵＶランプ）２２の点灯を続行させる。YES（排水が完了）の場合は、ステップ１６に進む。
ステップ１６…排水口の電磁弁ＳＶ５を閉じる信号を出力する。そして、ポンプＰ１を駆動し、電磁弁ＳＶ１を開いて浄水装置２で生成した浄水（純水）を冷水タンク３に供給する。
ステップ１７…紫外線照射ランプ（ＵＶランプ）２２を消灯する信号が出力される。尚、紫外線照射ランプ（ＵＶランプ）２２は、ステップ１８の増水が完了し、一定時間経過するまで点灯し続けるようにしてもよく、その時点で消灯信号を出力するようにしてもよい。
ステップ１８…冷水タンク３に供給された浄水の量が水位センサ２１-1で検知され満水になると、電磁弁ＳＶ１が閉じられ、ポンプＰ１も停止される。
ステップ１９…ＲＡＭの所定エリアに記憶されている給水の累積時間をクリアし、且つそのクリアした日時、即ち、冷水タンク３に浄水を入れ替えた日時をＲＡＭの所定エリアに記憶する。この日時がチェック日数（４日）の起算日となる。
【００２８】
上記排水は冷水タンク３に浄水を供給してから一定期間（チェック日数：４日）の間に一定量の浄水が排出（給水）されたかを判断して、浄水の入れ替えを行うようにした例であるが、例えば、最後の排出（給水）から所定時間、浄水が排出（給水）されていない場合に冷水タンク内に残っている浄水を排水して、新しい浄水を供給するようにしてもよい。
【００２９】
上記構成により、浄水の排出（給水）操作が所定期間（チェック日数）内に一定量排出されていなければ、冷水タンク３に残存する浄水は廃棄して、新しい浄水を入れ替える。このタンク内に残存する浄水を排水口の電磁弁ＳＶ５が開き、浄水を排水するのに伴い冷水タンク３内の浄水の体積が減り、その分空気孔２３を通してタンク内に空気が流入する空気の流れができ、その空気の流入に伴って雑菌がタンク内に流入するが、そのタイミングで紫外線照射ランプ（ＵＶランプ）２２を点灯して紫外線を照射することで、前記した浄水の排出（給水）時と同様、雑菌が冷水タンク内に拡散する前に効率よく殺菌することができる。
【００３０】
本発明の給水装置は図示した実施の形態に限定されるものではなく、本発明の要旨を変更しない範囲で変更可能である。
（１）実施の形態では逆浸透膜方式の浄化装置を透過した透過水（純水）を冷水タンク、温水タンクに貯水し、該純水を供給する例であるが、供給する水は浄化装置を透過した純水に限らず、通常の水道水を冷却して供給する給水装置でもよい。
（２）実施の形態は、冷水タンクと温水タンクを備え、お湯も給湯できる装置であるが、冷水タンクのみを備えた給水装置であってもよい。
（３）実施の形態では、紫外線照射ランプ（ＵＶランプ）による紫外線の照射時間を図５に示す照射時間ファイルに基づき、給水時間に応じて照射時間が可変するようにしたが、給水時間に関係なく照射時間を一定としてもよい。
（４）実施の形態ではステップ１３で電磁弁ＳＶ５が開放され浄水が排水されると、次のステップ１４で紫外線照射ランプ（ＵＶランプ）２２を点灯させるようにしたが、これに限らず冷水タンク３内の浄水を排水後、ステップ１６で浄水を冷水タンク３に供給（増水）するタイミングで紫外線照射ランプ（ＵＶランプ）２２を点灯させるようにしてもよい。これにより、排水中に冷水タンク３の内壁の付着した雑菌等を殺菌することができる。
（５）また、給水のために冷水用操作ボタン（給水スイッチ）７を押し続けて、給水を終了する為に冷水用操作ボタン（給水スイッチ）７の押下げが解除された後、一定時間紫外線照射ランプ（ＵＶランプ）２２を照射するようにしてもよい。
（６）また、電磁弁ＳＶ５を設ける代わりに冷水タンク３内の水をマニュアル操作にて排水するバルブを設け、該バルブにより排水した後、増水ボタン９が押下げられたとき、あるいは増水ボタン９の押下げの解除後一定時間紫外線照射ランプ（ＵＶランプ）２２を照射するようにしてもよい。
（７）また、空気孔２３は紫外線照射ランプ（ＵＶランプ）２２の近くに位置していれば良く、例えば、紫外線照射ランプ（ＵＶランプ）２２が冷水タンク３の端（周壁近傍）に位置していれば、冷水タンク３の周壁に空気孔を設けるようにしてもよい。
【図面の簡単な説明】
【００３１】
【図１】本発明に係る給水装置の一例を示す外観図。
【図２】給水装置の概略を示す配管図。
【図３】同装置の電気ブロック図。
【図４】冷水タンクの概略図。
【図５】照射時間ファイルの構成を示す説明図。
【図６】給水装置の給水動作を示すフローチャート図。
【図７】給水装置の排水動作を示すフローチャート図。
【符号の説明】
【００３２】
Ａ…給水装置
３…タンク（冷水タンク）
７…給水スイッチ（冷水用操作ボタン）
２２…照射部（紫外線照射ランプ（ＵＶランプ））
２３…空気孔
【図１】
2010052772.tif 000003
【図２】
2010052772.tif 000004
【図３】
2010052772.tif 000005
【図４】
2010052772.tif 000006
【図５】
2010052772.tif 000007
【図６】
2010052772.tif 000008
【図７】
2010052772.tif 000009